(57)【要約】【課題】シートの重送が発生する可能性を低くでき、かつ支持部へのシートの挿入が容易な給送装置を提供する【解決手段】給送装置７０は、面４５に支持された記録用紙を給送向き８７に給送する給送ローラ７５と、一端部に給送ローラ７５を支持しており回動可能な給送アーム７６と、面４５に設けられた凹部４６と、他端５０が凹部４６に進入した第１位置及び他端５０が凹部４６から退出した第２位置に回動する押さえアーム７３と、給送アーム７６に設けられた操作レバー９０と、給送アーム７６に設けられ面４５側から押さえアーム７３に当接する係合部９１とを備える。係合部９１は、給送ローラ７５が面４５に当接しているときに、第１位置の押さえアーム７３から離間しており、給送アーム７６が矢印６８の向きへ回動すると押さえアーム７３と当接して押すことで押さえアーム７３を第１位置から第２位置へ回動させる。【選択図】図８
2015193447.tif 000002
【特許請求の範囲】
【請求項１】
シートを支持する支持面を有する支持部と、
上記支持面に支持されたシートを給送向きに給送する給送ローラと、
一方の端部において上記給送ローラを回転可能に支持し、他方の端部を回動軸として回動可能な第１アームと、
上記支持面に設けられた凹部と、
一端が他端よりも上記給送向き上流側且つ上記支持面から離間しており、一端側を回動軸とし且つ他端側を先端側として回動可能であり、他端が上記凹部に進入した第１位置及び他端が上記凹部から退出した第２位置に回動する第２アームと、
上記第２アームを上記第１位置側へ付勢する付勢部材と、
上記第１アームに設けられた操作レバーと、
上記第１アームに設けられており、上記支持面側から上記第２アームに当接して係合する係合部と、を備え、
上記係合部は、
上記給送ローラが上記支持面に当接しているときに、上記第１位置の上記第２アームから離間しており、
上記給送ローラが上記支持面から離間する向きへ上記第１アームが回動すると上記第２アームと係合し、上記給送ローラが上記支持面から更に離間する向きへ回動する上記第１アームの回動に上記第２アームを連動させて上記第１位置から上記第２位置へ回動させるものである給送装置。
【請求項２】
上記係合部は、上記第１アームから突出された凸片である請求項１に記載の給送装置。
【請求項３】
上記第１位置の上記第２アームにおいて、上記凹部に進入していない部分であって上記支持面と対向する案内面は、上記給送ローラよりも上記給送向き上流側に位置しており、
上記第２位置の上記第２アームにおいて、上記第２アームの他端は、上記給送ローラよりも上記給送向き下流側に位置している請求項１又は２に記載の給送装置。
【請求項４】
上記第２アームは一対設けられており、上記給送向きと直交し且つ上記支持面に沿った方向において、上記給送ローラを挟んで配置されている請求項１から３のいずれかに記載の給送装置。
【請求項５】
上記第１位置または上記第２位置のうちいずれか一方の位置にある上記第２アームを検知する検知部を更に備える請求項１から４のいずれかに記載の給送装置。
【請求項６】
上記第１アームと上記第２アームの回動軸の中心は同一である請求項１から５のいずれかに記載の給送装置。
【請求項７】
請求項１から６のいずれかに記載の給送装置と、
上記給送ローラによって給送されたシートに画像を記録する記録部と、を備える画像記録装置。
【発明の詳細な説明】
【技術分野】
【０００１】
本発明は、支持部に支持されたシートを給送する給送装置、及び当該給送装置を備えた画像記録装置に関する。
【背景技術】
【０００２】
従来より、傾斜状態の支持部が、積層状態の複数枚のシートを支持しており且つ当該シートが支持部の傾斜に沿って斜め下向きに給送されるように構成されている給送装置が知られている（特許文献１）。この給送装置においては、複数枚のシートは、給送ローラの自重により支持部に押圧されている。
【先行技術文献】
【特許文献】
【０００３】
【特許文献１】特開２００１−１０６３４６号公報
【発明の概要】
【発明が解決しようとする課題】
【０００４】
しかしながら、特許文献１に開示された給送装置の場合、傾斜状態の支持部に支持されている複数枚のシートは、支持部の傾斜に沿って移動し易くなる。この原因としては、以下のものが考えられる。まずは、傾斜状態の支持部に支持されている複数枚のシート自身の自重である。或いは、最上位置のシートが給送ローラの回転により給送される際の、当該最上位置のシートと、この最上位置のシートと当接しているシートとの間の摩擦力である。これらの原因によって、複数枚のシートは支持部の傾斜に沿って移動し易くなる。その結果、シートの重送が発生し易くなるおそれがある。また、別の原因として考えられるのは、特許文献１に開示された給送装置の場合、分離部材である分離爪から給送ローラまで、ある程度の距離がある。そのため、複数枚のシートは、給送ローラと当接している位置では給送ローラの自重により支持部に押圧されているが、分離爪から給送ローラまでの区間では給送ローラに押圧されていない。このため、分離爪から給送ローラまでの区間では、シートの給送が繰り返される間に、積層状態の複数のシート間に隙間が形成されることがある。この場合、各シートと分離爪との当接角度が変化することにより、シートが分離爪を乗り越えるのに必要な搬送力が各シート毎に異なってしまうため、シートの重送が発生するおそれがある。
【０００５】
本発明は、上記問題に鑑みてなされたものであり、その目的は、シートの重送が発生する可能性を低くでき、かつ支持部へシートを挿入することが容易な手段を提供することにある。
【課題を解決するための手段】
【０００６】
(1)  本発明に係る給送装置は、シートを支持する支持面を有する支持部と、上記支持面に支持されたシートを給送向きに給送する給送ローラと、一方の端部において上記給送ローラを回転可能に支持し、他方の端部を回動軸として回動可能な第１アームと、上記支持面に設けられた凹部と、一端が他端よりも上記給送向き上流側且つ上記支持面から離間しており、一端側を回動軸とし且つ他端側を先端側として回動可能であり、他端が上記凹部に進入した第１位置及び他端が上記凹部から退出した第２位置に回動する第２アームと、上記第２アームを上記第１位置側へ付勢する付勢部材と、上記第１アームに設けられた操作レバーと、上記第１アームに設けられており、上記支持面側から上記第２アームに当接して係合する係合部と、を備える。上記係合部は、上記給送ローラが上記支持面に当接しているときに、上記第１位置の上記第２アームから離間しており、上記給送ローラが上記支持面から離間する向きへ上記第１アームが回動すると上記第２アームと係合し、上記給送ローラが上記支持面から更に離間する向きへ回動する上記第１アームの回動に上記第２アームを連動させて上記第１位置から上記第２位置へ回動させる。
【０００７】
シートの束が支持部に進入されるときには、第２アームは第２位置側へ退避し、また給送ローラも支持面から離れる向きへ退避する。支持部の支持面に支持されたシートの束は、第１位置側へ付勢された第２アームによって支持面に押さえつけられる。給送ローラが支持面又は支持面に支持されたシートに当接しているときには、係合部が第１位置の第２アームから離間しているので、第１アーム及び第２アームは独立して回動可能である。
【０００８】
普通紙のように腰の弱い１枚のシートが支持部に進入されるときには、操作レバーを操作することによって、第１アームが回動して給送ローラを支持面から離間させることができる。給送ローラが支持面から離間する向きへ第１アームが回動されると、係合部が第２アームと係合して、更に支持面から離間する向きへの第１アームの回動に第２アームが連動する。これにより、操作レバーの操作によって、給送ローラを支持面から離間させ、かつ第２アームを第１位置から第２位置側へ回動させることができる。したがって、支持部に進入された１枚のシートは、給送ローラ及び第２アームに接触することがない。ユーザが操作レバーの操作を止めると、第１アームが回動して給送ローラが支持面に支持されたシートと当接する。また、第１位置側へ付勢された第２アームが支持面に支持されたシートと当接する。
【０００９】
(2)  上記係合部として、上記第１アームから突出された凸片が挙げられる。
【００１０】
(3)  上記第１位置の上記第２アームにおいて、上記凹部に進入していない部分であって上記支持面と対向する案内面は、上記給送ローラよりも上記給送向き上流側に位置しており、上記第２位置の上記第２アームにおいて、上記第２アームの他端は、上記給送ローラよりも上記給送向き下流側に位置していてもよい。
【００１１】
本構成によれば、支持部にシートが支持されていない状態において、第２アームは、付勢部材に付勢されることによって第１位置である。この状態において、シートの束を給送向き下流側から給送装置に進入させて支持部に支持させる場合、当該シートの束は、最初に第２アームの案内面に当接する。つまり、当該シートの束は最初に給送ローラに当接しない。ここで、給送ローラの多くは、ローラ面をゴムで構成されているため、当該ローラ面に接触したシートは折れ曲がり易い。つまり、本構成では、当該シートの束が、最初に給送ローラに当接しないため、給送装置に進入したシートの束が折れ曲がる可能性を低くできる。
【００１２】
次に、給送装置に進入したシートの束は、第２アームの案内面に沿って給送向き下流側に案内される。その際、第２アームはシートに押されることによって付勢部材の付勢力に抗って第１位置から第２位置へ向けて回動する。これにより、シートの束を給送ローラと支持部の支持面との間に導くことができる。
【００１３】
また、第２位置の第２アームの他端は、給送ローラよりも給送向き下流側に位置している。つまり、第２アームに案内されて給送ローラと支持部の支持面との間を通過したシートの束は、第２アームの他端によって押さえられた状態となる。すなわち、本構成によれば、シートの束を、給送ローラよりも給送向き下流側で押さえることができる。これにより、シートの束が給送ローラのみによって押さえられている状態よりも、シートの重送の可能性を低くすることができる。
【００１４】
(4)  上記第２アームは一対設けられており、上記給送向きと直交し且つ上記支持面に沿った方向において、上記給送ローラを挟んで配置されていてもよい。
【００１５】
給送向きと直交し且つ支持面に沿った方向における給送ローラの一方側のみに圧力がかかり他方側に圧力がかからないことでシートは斜行し易くなるが、本構成によれば、シートは給送ローラの両側において第２アームによって押さえられるため、上記のようなシートの斜行の可能性を低くできる。
【００１６】
(5)  上記給送装置は、上記第１位置または上記第２位置のうちいずれか一方の位置にある上記第２アームを検知する検知部を更に備えたものであってもよい。
【００１７】
本構成によれば、支持部にシートが支持されていない状態において、第２アームは、付勢部材に付勢されることによって第１位置である。また、支持部にシートが支持された状態において、第２アームは、シートに押されることによって第２位置である。つまり、検知部は、第２アームの位置に基づいて支持部におけるシートの支持の有無を検知することができる。すなわち、本構成によれば、第２アームを、シートの支持の有無を検知するために検知部に検知される被検知部材とすることができるため、給送装置に、シートを検知するための専用の被検知部材を設ける必要がない。
【００１８】
(6)  上記第１アームと上記第２アームの回動軸の中心は同一であってもよい。
【００１９】
本構成によれば、第１アーム及び第２アームの回動軸を個別に設ける必要がないため、第１アーム及び第２アームの構成を単純化できる。
【００２０】
(7)  本発明は、上記給送装置と、上記給送ローラによって給送されたシートに画像を記録する記録部と、を備える画像記録装置として捉えられてもよい。
【発明の効果】
【００２１】
本発明によれば、シートの重送が発生する可能性を低くできる。また、支持部へシートを挿入することが容易である。
【図面の簡単な説明】
【００２２】
【図１】図１は、可動部１８６が起立状態の複合機１０の外観斜視図である。
【図２】図２は、プリンタ部１１の内部構造を示す縦断面図である。
【図３】図３は、複合機１０の縦断面図であり、押さえアーム７３が第１位置の状態が示されている。
【図４】図４は、図３の破線の矩形枠部分の拡大図である。
【図５】図５は、押さえアーム７３が第２位置のときの図３の破線の矩形枠部分の拡大図である。
【図６】図６は、複合機１０の背面図である。
【図７】図７は、給送アーム７６周辺部の斜視図である。
【図８】図８は、給送装置７０周辺部の縦断面図である。
【図９】図９は、給送装置７０周辺部の縦断面図である。
【発明を実施するための形態】
【００２３】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２４】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。
【００２５】
プリンタ部１１は、前面に開口１３が形成された筐体１４を有している。また、各種サイズの記録用紙を収容可能な給送トレイ２０及び排出トレイ２１が、開口１３から前後方向８に挿抜可能である。筐体１４の底面が、複合機１０が設置される載置面に当接する。
【００２６】
図２に示されるように、プリンタ部１１は、給送トレイ２０から記録用紙を給送する給送部１５、記録用紙に画像を記録する記録部２４、第１搬送ローラ対５９、及び第２搬送ローラ対１８０などを備えている。
【００２７】
図１に示されるように、プリンタ部１１の上方には、スキャナ部１２が設けられている。スキャナ部１２は、フラットベッドスキャナである。なお、フラットベッドスキャナの構造は公知であるので、ここでは詳細な説明が省略される。
【００２８】
［プリンタ部１１］
以下、プリンタ部１１の詳細な構造が説明される。プリンタ部１１は画像記録装置の一例である。
【００２９】
［給送トレイ２０］
図１及び図２に示される給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に着脱自在に装着される。この給送トレイ２０は、開口１３を通じて筐体１４に対して前後方向８に沿って進退可能である。
【００３０】
［給送部１５］
図２に示されるように、給送部１５は、給送ローラ２５、給送アーム２６、及び駆動伝達機構２７を備えている。給送部１５は、給送トレイ２０の上方であって記録部２４の下方に設けられている。給送ローラ２５は、給送アーム２６の先端部に回転可能に軸支されている。給送アーム２６は、基端部に設けられた回動軸２８を中心として、矢印２９の方向に回動する。これにより、給送ローラ２５は、給送トレイ２０の支持面に対して当接及び離間が可能である。したがって、記録用紙を収容して給送トレイ２０が筐体１４内に装着されたとき、給送ローラ２５は、給送トレイ２０に収容された記録用紙に当接可能である。
【００３１】
給送ローラ２５には、モータ（不図示）の駆動力が駆動伝達機構２７を通じて伝達される。駆動伝達機構２７は、回動軸２８に伝達された回転を無端ベルトにより給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材１９７と当接する。その結果、一番上側の記録用紙のみが下側の記録用紙から分離されて搬送される。そして、一番上側の記録用紙よりも下側の記録用紙は、一番上側の記録用紙に引き摺られることなく給送トレイ２０内に収容されたままで保持される。
【００３２】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。
【００３３】
湾曲路６５Ａは、記録用紙が通過可能な空間を隔てて対向する外側ガイド部材１８、内側ガイド部材１９、及びガイド部材３１によって規定されている。直線路６５Ｂは、記録用紙が通過可能な空間を隔てて対向する記録部２４及びプラテン４２、並びにガイド部材３４及びガイド部材３３によって規定されている。
【００３４】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。
【００３５】
ガイド部材３１は、第１搬送ローラ対５９の直上流（後ろ側）において内側ガイド部材１９の上方に配置されている。外側ガイド部材１８及びガイド部材３１は、後述されるバイパス経路１８２を規定する部材でもある。
【００３６】
［第１搬送ローラ対５９及び第２搬送ローラ対１８０］
図２に示されるように、搬送経路６５における記録部２４よりも搬送向き（前後方向８の前向き）の上流側には、第１搬送ローラ対５９が設けられている。第１搬送ローラ対５９は、第１搬送ローラ６０とピンチローラ６１とを有する。搬送経路６５において、記録部２４よりも搬送向きの下流側には、第２搬送ローラ対１８０が設けられている。第２搬送ローラ対１８０は、第２搬送ローラ６２と拍車ローラ６３とを有する。第１搬送ローラ６０及び第２搬送ローラ６２は、モータ（不図示）の回転が伝達されて回転する。第１搬送ローラ対５９及び第２搬送ローラ対１８０は、それぞれを構成する各ローラの間に記録用紙を挟持した状態において、第１搬送ローラ６０及び第２搬送ローラ６２が回転することによって、記録用紙を搬送する。
【００３７】
［記録部２４］
図２に示されるように、第１搬送ローラ対５９と第２搬送ローラ対１８０との間に記録部２４が設けられている。記録部２４は、キャリッジ４０と記録ヘッド３９とを備えている。キャリッジ４０は、プラテン４２の後側及び前側に設けられたガイドレール４３，４４によって左右方向９に往復動可能に支持されている。
【００３８】
記録ヘッド３９は、キャリッジ４０に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４０が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００３９】
［バイパス経路１８２］
図２に示されるように、筐体１４の後面において開口１８４が設けられている。筐体１４の内部には、開口１８４から第１搬送ローラ対５９へと延びるバイパス経路１８２が形成されている。バイパス経路１８２は、筐体１４の内部において前後方向８の後方から前方へ斜め下方に向かって延びる経路である。バイパス経路１８２は、ガイド部材３１及び外側ガイド部材１８によって規定されている。搬送経路６５は、バイパス経路１８２より下方に配置されている。
【００４０】
後述されるバイパストレイ７１(図１及び図３参照)に収容された記録用紙は、バイパス経路１８２に沿って斜め下方へ案内される。その記録用紙は、搬送経路６５の直線路６５Ｂに沿って案内され、第１搬送ローラ対５９により搬送される。その記録用紙は、更に記録部２４によって画像記録が行われて、排出トレイ２１へ排出される。
【００４１】
［給送装置７０］
図３及び図４に示されるように、プリンタ部１１は、給送装置７０を備えている。給送装置７０は、バイパストレイ７１（支持部に相当）と、給送ローラ７５（給送ローラに相当）と、給送アーム７６（第１アームに相当）と、押さえアーム７３（第２アームに相当）と、トーションばね５２（付勢部材に相当）と、シートセンサ５４（検知部に相当）と、分離片７２とを備えている。
【００４２】
［バイパストレイ７１］
図１、図３、及び図４に示されるように、複合機１０の後面側には、バイパストレイ７１が設けられている。バイパストレイ７１は、給送トレイ２０とは独立して記録用紙を収容するものである。
【００４３】
バイパストレイ７１には、開口１８７が形成されている。記録用紙は、開口１８７を通じてバイパストレイ７１に収容される。バイパストレイ７１には、開口１８７からバイパス経路１８２（図２参照）へと至る通路が形成されている。
【００４４】
筐体１４の後面側には、開口１８４（図２参照）を覆うようにして下方へ延びる固定部１８５が設けられている。固定部１８５は、バイパストレイ７１の搬送向き下流側の一部を構成している。固定部１８５の上側には、可動部１８６が固定部１８５に対して回動可能に設けられている。固定部１８５及び可動部１８６によって、バイパストレイ７１が構成されている。
【００４５】
固定部１８５には、支持面１８８を有する支持部材１８９が設けられている。支持面１８８は、バイパス経路１８２（図２参照）まで斜め下方へ延びている。
【００４６】
固定部１８５における支持部材１８９の下方には、分離片７２が設けられている。分離片７２は、上下方向７において開口１８４とほぼ同等の高さに位置されている。分離片７２の上面は、バイパストレイ７１に支持される記録用紙の先端が当接する面である。分離片７２の上面には、複数の歯１３２（図２参照）が前後方向８に沿って並んで、上面から上方へ突出されている。歯１３２によって、バイパストレイ７１に支持される複数枚の記録用紙の先端が捌かれる。
【００４７】
固定部１８５における左右方向９の右側には、複数のピニオンギアからなる駆動伝達機構（不図示）が設けられている。駆動伝達機構には、プリンタ部１１の筐体１４の内部に設けられたモータ（不図示）から駆動力が伝達される。回動軸６６は、左右方向９に沿って延出されており、その一端が駆動伝達機構を構成するピニオンギアと噛合している。回動軸６６の他端は、固定部１８５における左右方向９の中央まで延出されている。
【００４８】
回動軸６６には、給送アーム７６が回動可能に支持されている。すなわち、給送アーム７６は、回動軸６６周りに回動自在である。この給送アーム７６の回動先端側に給送ローラ７５が回転可能に支持されている。給送アーム７６は、回動軸６６から支持部材１８９の支持面１８８へ向かって下方へ延出されている。給送アーム７６は、固定部１８５における左右方向９の中央に配置されている。給送アーム７６の構成は、後に詳細に説明される。
【００４９】
給送ローラ７５は、３つのギヤ３７Ａ，３７Ｂ，３７Ｃが噛合されてなるギヤ列３６（図７参照）によって回動軸６６と連結されている。回動軸６６の回転がギヤ列３６によって給送ローラ７５に伝達され、給送ローラ７５が回転する。給送ローラ７５が、支持面１８８に支持された記録用紙のうち一番上側の記録用紙に当接された状態で回転することにより、この一番上側の記録用紙がバイパス経路１８２に沿って給送向き８７（図４参照）に給送される。この一番上側の記録用紙より下側の記録用紙は、分離片７２によって捌かれて、一番上側の記録用紙に引き摺られることなくバイパストレイ７１に保持される。給送ローラ７５の構成は、後に詳細に説明される。
【００５０】
可動部１８６は、固定部１８５の上側に固定部１８５に対して回動可能に設けられている。可動部１８６は、上下方向７に沿って起立した起立状態（図１参照）と、上下方向７に対して傾斜した倒伏状態（図３参照）との間で回動可能である。
【００５１】
起立状態とは、筐体１４の後面側における可動部１８６のためのスペースを小さくするための状態であり、バイパストレイ７１の不使用状態である。倒伏状態とは、可動部１８６を筐体１４の外側へ向かって斜め上方へ傾斜させることにより、傾斜した支持面１８８，１９３を実質的に１つの平面とした状態であり、バイパストレイ７１の使用可能状態である。
【００５２】
可動部１８６には、支持部材１９２が設けられている。倒伏状態において、支持部材１９２の上面に設けられた支持面１９３は、支持面１８８と実質的に同一の平面をなす。バイパストレイ７１において、支持部材１８９の支持面１８８及び支持部材１９２の支持面１９３によって形成される面４５（支持面に相当）が記録用紙を支持する。ここで、「実質的に１つの平面（同一の平面）」とは、２つの面の間に僅かに段差があったとしても、支持された記録用紙が撓んだり湾曲したりしない平面のこと、すなわち、前述された分離片７２により安定した分離性能が発揮されるように記録用紙を支持する平面のことをいう。
【００５３】
図４及び図６に示されるように、バイパストレイ７１の面４５（支持部材１８９の支持面１８８）に、２つの凹部４６が設けられている。後述する押さえアーム７３の他端５０が凹部４６に挿入される。２つの凹部４６は、給送向き８７において同位置に設けられている。また、２つの凹部４６は、給送ローラ７５を挟むように一対に設けられており、左右方向９において、給送ローラ７５の右側及び左側に設けられている。
【００５４】
［給送ローラ７５及び給送アーム７６］
図４に示されるように、給送ローラ７５は、バイパストレイ７１の前方に配置されている。給送ローラ７５は、支持部材１８９の支持面１８８に当接可能である。給送ローラ７５の回転軸８３は左右方向９に延びている。図６及び図７に示されるように、給送ローラ７５は、左右方向９に間隔を空けて２個設けられているが、給送ローラ７５の個数は、２個に限らない。
【００５５】
給送アーム７６は、一方の端部から給送向き８７上流側に向かい且つバイパストレイ７１の面４５から離間した向きに延びている。給送ローラ７５は、給送アーム７６の一方の端部において回転可能に支持されている。回動軸６６が、給送アーム７６の他方の端部である給送向き８７上流端部に設けられた孔９２（図７参照）に挿通されている。これにより、給送アーム７６は、他方の端部に設けられた回動軸６６を中心に、矢印６７、６８（図４参照）の方向に回動する。その結果、給送ローラ７５は、支持部材１８９の支持面１８８または当該支持面１８８に支持された記録用紙に対して、当接及び離間が可能である。
【００５６】
給送アーム７６と回動軸６６とは、トーションばね（不図示）によって連結されている。これにより、給送アーム７６は、トーションばねによって矢印６７の向きに付勢される。なお、給送アーム７６を矢印６７の向きに付勢する構成は、トーションばねによる構成に限らない。例えば、給送アーム７６の前方に、一端を給送アーム７６に接続され且つ他端をプリンタ部１１のフレームに接続されたコイルばねが配置されていてもよい。そして、給送アーム７６は、コイルばねによって矢印６７の向きに付勢されていてもよい。
【００５７】
本実施形態において、給送アーム７６は、接離機構３０（図４，図５，図７参照）により回動可能である。ここで、接離機構３０の構成は、給送アーム７６を矢印６７、６８の向きに回動させることが可能であるならば、公知の如何なる構成でもよい。バイパストレイ７１に支持された記録用紙の給送を実行するとき、接離機構３０は、給送アーム７６を、給送ローラ７５が面４５に支持された記録用紙に当接するように矢印６７の向きに回動させる。一方、バイパストレイ７１に支持された記録用紙の給送が実行されないとき、接離機構３０は、給送アーム７６を、給送ローラ７５が支持部材１８９の支持面１８８（面４５）から離間するように矢印６８の向きに回動させる。これにより、図９（Ｂ）に示されるように、記録用紙が面４５に支持された状態であっても、当該記録用紙と給送ローラ７５との間には、隙間が生じている。
【００５８】
また、給送アーム７６は、接離機構３０ではなく、手動によって回動可能である。このような手動による回動については後述される。
【００５９】
［押さえアーム７３］
図４に示されるように、押さえアーム７３は、給送アーム７６と同様に、一端４９から給送向き８７下流側に向かい且つ支持部材１８９の支持面１８８に近づく向きに延びている。押さえアーム７３の一端４９は、他端５０よりも給送向き８７上流側且つ面４５から離間している。回動軸６６が、押さえアーム７３の給送向き８７上流端側である一端４９側に設けられた孔５１に挿通されている。これにより、押さえアーム７３は、給送アーム７６と同様に、一端４９側の回動軸６６を中心に、他端５０側を先端側として、矢印６７、６８の方向に回動する。その結果、押さえアーム７３の先端側は、支持面１８８または当該支持面１８８に支持された記録用紙に対して、当接及び離間が可能である。
【００６０】
前述されたように、回動軸６６は、給送アーム７６及び押さえアーム７３の双方に挿通されている。そのため、給送アーム７６と押さえアーム７３の回動の中心は同一である。また、給送アーム７６及び押さえアーム７３は互いに独立して回動可能である。
【００６１】
押さえアーム７３の他端５０は、左側または右側（紙面に対して鉛直方向）から見て給送向き８７下流側に向かって凸となるように湾曲している。
【００６２】
押さえアーム７３は、支持部材１８９の支持面１８８に設けられた凹部４６と同数設けられている。本実施形態において、押さえアーム７３は、一対設けられている。押さえアーム７３は、給送ローラ７５の右方及び左方に１つずつ設けられている。２つの押さえアーム７３の各々は、２つの凹部４６の各々と対応している。押さえアーム７３は、図６に示されるように、給送向き８７と直交し且つ支持面１８８に沿った左右方向９において、給送ローラ７５を挟んで配置されている。
【００６３】
図６に示されるように、左右方向９における、押さえアーム７３の他端５０側の幅は、対応する凹部４６の幅よりも短い。これにより、図４に示されるように、押さえアーム７３の他端５０は、凹部４６に進入可能である。図４に示される状態における押さえアーム７３の位置が、第１位置に相当する。一方、図５に示されるように、押さえアーム７３が第１位置から矢印６８の向きに回動することによって、押さえアーム７３の他端５０は、凹部４６から退避可能である。図５に示される状態における押さえアーム７３の位置が、第２位置に相当する。以上より、押さえアーム７３は、第１位置及び第２位置に回動可能である。
【００６４】
図４に示されるように、押さえアーム７３が第１位置のとき、押さえアーム７３の給送向き８７上流側の面のうち、凹部４６に進入していない部分である面５３（案内面に相当）は、給送ローラ７５よりも給送向き８７上流側に位置している。
【００６５】
図５に示されるように、押さえアーム７３が第２位置のとき、押さえアーム７３の他端５０は、給送ローラ７５よりも給送向き８７下流側に位置している。
【００６６】
押さえアーム７３と回動軸６６とは、トーションばね５２によって連結されている。これにより、押さえアーム７３は、トーションばね５２によって第１位置側へ矢印６７の向きに付勢される。なお、押さえアーム７３を矢印６７の向きに付勢する構成は、トーションばね５２による構成に限らない。例えば、押さえアーム７３の前方に、一端を押さえアーム７３に接続され且つ他端をプリンタ部１１のフレームに接続されたコイルばねが配置されていてもよい。そして、押さえアーム７３は、コイルばねによって矢印６７の向きに付勢されていてもよい。
【００６７】
［操作レバー９０］
図３〜図９に示されるように、給送アーム７６には、操作レバー９０が設けられている。操作レバー９０は、給送アーム７６の回動軸６６側の端部から突出した突起である。操作レバー９０は、開口１８７へ向けて突出している。これにより、ユーザが開口１８７を通じて操作レバー９０へ容易にアクセスできる。
【００６８】
［係合部９１］
図７に示されるように、給送アーム７６には、係合部９１が設けられている。本実施形態において、係合部９１は、給送アーム７６から右向きに延びた凸片９１Ａと、給送アーム７６から左向きに延びた凸片９１Ｂとで構成されている。左右方向９において、凸片９１Ａは、右側の押さえアーム７３の面５３と当接可能な位置まで延びており、凸片９１Ｂは、左側の押さえアーム７３の面５３と当接可能な位置まで延びている。また、凸片９１Ａ、９１Ｂの先端部は、押さえアーム７３と面４５の間に位置している。
【００６９】
給送ローラ７５が面４５に当接した状態（図８（Ｂ）参照）、及び給送ローラ７５が面４５に支持された記録用紙Ｓに当接した状態（図９（Ｃ）参照）において、係合部９１（凸片９１Ａ、９１Ｂ）は、押さえアーム７３から、より詳細には押さえアーム７３の面５３から離間している。また、給送ローラ７５が、図８（Ｂ）に示される状態から接離機構３０によって矢印６８の向きに回動されることにより面４５から離間した状態（図８（Ａ）参照）においても、係合部９１は、押さえアーム７３から、より詳細には押さえアーム７３の面５３から離間している。また、給送ローラ７５が、図９（Ｃ）に示される状態から接離機構３０によって矢印６８の向きに回動されることにより記録用紙Ｓから離間した状態（図９（Ｂ）参照）においても、係合部９１は、押さえアーム７３から、より詳細には押さえアーム７３の面５３から離間している。
【００７０】
なお、図８（Ａ）及び図９（Ｂ）に示される状態の場合に、係合部９１は、押さえアーム７３の面５３に当接していてもよい。
【００７１】
上記の各状態（図８（Ａ），図８（Ｂ），図９（Ｂ）及び図９（Ｃ））から給送アーム７６が矢印６８の向きに更に回動したときに、係合部９１は、面４５側から押さえアーム７３の面５３に当接して係合可能である（図８（Ｃ）参照）。
【００７２】
なお、係合部９１は、凸片９１Ａ、９１Ｂに限らない。例えば、係合部９１は、押さえアーム７３の面５３と当接可能な位置まで、給送アーム７６から左右方向９に延びたリブであってもよい。また、係合部９１は凸片９１Ａ、９１Ｂのように一対でなくともよい。すなわち、一つの凸片或いは一つのリブであってもよい。
【００７３】
［シートセンサ５４］
図６に示されるように、バイパストレイ７１の左方に、シートセンサ５４が設けられている。シートセンサ５４は、左側の押さえアーム７３から左方に延びた延設部５５と、延設部５５の左端部から押さえアーム７３と同方向に突出した検出子５６と、発光素子５７及び当該発光素子５７から発光された光を受光する受光素子５８を有する光学センサ３５とを備えている。
【００７４】
検出子５６は、左側の押さえアーム７３が回動すると、左側の押さえアーム７３と一体に延設部５５を中心に回動する。
【００７５】
押さえアーム７３が第１位置（図４）のとき、すなわち、押さえアーム７３の他端５０が凹部４６内に進入しているとき、検出子５６の突出先端は、光学センサ３５の発光素子５７と受光素子５８の間における発光素子５７から受光素子５８に至る光路に進入している。これにより、当該光路を通る光が遮断されている。このとき、光学センサ３５から複合機１０の動作を制御する制御部（不図示）に、ローレベルの信号が出力される。一方、押さえアーム７３が第２位置(図５）のとき、すなわち、押さえアーム７３の他端５０が凹部４６から退避しているとき、検出子５６の突出先端は上記光路から退避する。これにより、上記光路に光が通る。このとき、光学センサ３５から上記制御部に、ハイレベルの信号が出力される。以上のように、シートセンサ５４は、上記光路における検出子５６の有無を検出することによって押さえアーム７３の位置（第１位置にあるか第２位置にあるか）を制御部に検出させることができる。
【００７６】
なお、検出子５６の突出方向は、押さえアーム７３と異なる方向であってもよい。そして、検出子５６の突出先端は、上記とは逆に、押さえアーム７３が第２位置のときに上記光路に進入し、押さえアーム７３が第１位置のときに上記光路から退避してもよい。
【００７７】
また、シートセンサ５４は、右側の押さえアーム７３の右方に設けられていてもよい。このとき、延設部５５は、右側の押さえアーム７３から右方に延設される。
【００７８】
［給送装置７０の動作］
以下、操作レバー９０が操作されることによってバイパストレイ７１に記録用紙Ｓが支持される過程における給送装置７０の動作が説明される。給送装置７０のうち、押さえアーム７３及び給送アーム７６の動作が特に詳細に説明される。
【００７９】
バイパストレイ７１の面４５に記録用紙が支持されていないとき、給送ローラ７５は、図８（Ａ）に示されるように、接離機構３０によって面４５から離間した状態、または、図８（Ｂ）に示されるように、面４５に当接した状態のいずれかの状態である。また、上記のいずれの状態においても、押さえアーム７３は、トーションばね５２に付勢されることによって、第１位置にある。このとき、押さえアーム７３の他端５０は凹部４６内に進入している。上記のいずれの状態においても、給送アーム７６に設けられた係合部９１（凸片９１Ａ、９１Ｂ）は、押さえアーム７３から離間している。より詳細には、係合部９１（凸片９１Ａ、９１Ｂ）は、押さえアーム７３の面５３から離間している。
【００８０】
図８（Ａ）または図８（Ｂ）に示される状態において、複合機１０のユーザなどが、操作レバー９０を把持して、或いは押圧して矢印９２の向きに動かすと、給送アーム７６は、不図示のトーションばねの付勢力に抗って矢印６８の向きに回動する。これにより、係合部９１も給送アーム７６と一体に矢印６８の向きに回動する。
【００８１】
回動した係合部９１は、図８（Ｃ）に示されるように、下方（面４５の側）から押さえアーム７３の面５３に当接する。図８（Ｃ）に示される状態から、ユーザが給送アーム７６を更に矢印６８の向きに回動すると、押さえアーム７３は、係合部９１に矢印６８の向きに押される。これにより、押さえアーム７３は、トーションばね５２の付勢力に抗って矢印６８の向きに第１位置から第２位置へ向けて回動する。その結果、押さえアーム７３の他端５０側は、凹部４６を規定している２つの面４７，４８（図４，図５参照）のうち、面４７から離間する。給送アーム７６が更に矢印６８の向きに回動すると、押さえアーム７３は、図９（Ａ）に示されるように、凹部４６から退避する。これにより、押さえアーム７３と面４５との間に隙間が生じる。
【００８２】
図９（Ａ）に示される状態において、ユーザなどによって開口１８７から給送向き８７へ記録用紙Ｓが挿入されると、当該記録用紙Ｓの挿入先端は、押さえアーム７３の面５３に当接して面５３に案内される。これにより、当該記録用紙Ｓの挿入先端は、給送アーム７６及び押さえアーム７３に妨げられることなく、給送アーム７６及び押さえアーム７３を通過して分離片７２に当接する。
【００８３】
ユーザなどが把持していた操作レバー９０を離すと、給送アーム７６は不図示のトーションばねの付勢力によって矢印６７の向きに回動する。これにより、係合部９１（凸片９１Ａ、９１Ｂ）は、押さえアーム７３の面５３から離間するため、押さえアーム７３は、トーションばね５２の付勢力によって矢印６７の向きに回動する。その結果、図９（Ｂ）に示されるように、押さえアーム７３は、給送ローラ７５と分離片７２との間で記録用紙Ｓに当接する。一方、給送ローラ７５は、接離機構３０によって、図８（Ａ）の給送ローラ７５と同位置に維持されるため、記録用紙Ｓに当接していない。なお、給送ローラ７５は、接離機構３０によって図８（Ａ）と同位置に維持されなくてもよい。この場合、図９（Ｃ）に示されるように、給送ローラ７５も、押さえアーム７３と同様に記録用紙Ｓに当接することになる。
【００８４】
図９（Ｂ）の状態において、ユーザが複合機１０に設けられた操作部（不図示）を操作することによって、記録用紙Ｓに対する画像記録を指示すると、制御部は、接離機構３０を制御して、給送アーム７６を矢印６７の向きに回動させる。これにより、給送ローラ７５は、図９（Ｃ）に示されるように、バイパストレイ７１の面４５に支持された記録用紙Ｓに当接する。また、制御部は、モータを制御して、駆動伝達機構を介して給送ローラ７５に駆動力を付与させる。これにより、給送ローラ７５は回転し、記録用紙Ｓは給送向き８７に給送される。その結果、記録用紙Ｓは、バイパス経路１８２を経て、直線路６５Ｂへ進入する。直線路６５Ｂへ進入した記録用紙Ｓは、記録部２４により画像が記録され、第２搬送ローラ対１８０によって排出トレイ２１上へと排出される。
【００８５】
［実施形態の効果］
本実施形態によれば、記録用紙の束がバイパストレイ７１に進入されるときには、押さえアーム７３は第２位置側へ退避し、また給送ローラ７５も面４５から離れる向きへ退避する。バイパストレイ７１の面４５に支持された記録用紙の束は、第１位置側へ付勢された押さえアーム７３によって面４５に押さえつけられる。給送ローラ７５が面４５又は面４５に支持された記録用紙に当接しているときには、係合部９１が第１位置の押さえアーム７３から離間しているので、給送アーム７６及び押さえアーム７３は独立して回動可能である。
【００８６】
普通紙のように腰の弱い１枚の記録用紙がバイパストレイ７１に進入されるときには、操作レバー９０を操作することによって、給送アーム７６が回動して給送ローラ７５を面４５から離間させることができる。給送ローラ７５が面４５から離間する向きへ給送アーム７６が回動されると、係合部９１が押さえアーム７３と係合して、更に面４５から離間する向きへの給送アーム７６の回動に押さえアーム７３が連動する。これにより、操作レバー９０の操作によって、給送ローラ７５を面４５から離間させ、かつ押さえアーム７３を第１位置から第２位置側へ回動させることができる。したがって、バイパストレイ７１に進入された１枚の記録用紙は、給送ローラ７５及び押さえアーム７３に接触することがない。ユーザが操作レバー９０の操作を止めると、給送アーム７６が回動して給送ローラ７５が面４５に支持された記録用紙と当接する。また、第１位置側へ付勢された押さえアーム７３が面４５に支持された記録用紙と当接する。
【００８７】
また、本実施形態によれば、バイパストレイ７１に記録用紙が支持されていない状態において、押さえアーム７３は、トーションばね５２に付勢されることによって第１位置である。この状態において、記録用紙の束を給送向き８７下流側から給送装置７０に進入させてバイパストレイ７１に支持させる場合、当該記録用紙の束は、最初に押さえアーム７３の面５３に当接する。つまり、当該記録用紙の束は最初に給送ローラ７５に当接しない。ここで、給送ローラ７５は、ゴムやエラストマーの成型品であり、給送ローラ７５のローラ面には凹凸が形成されているので、当該ローラ面に当接した記録用紙は折れ曲がり易い。つまり、本構成では、当該記録用紙の束が、最初に給送ローラ７５に当接しないため、給送装置に進入した記録用紙の束が折れ曲がる可能性を低くできる。
【００８８】
次に、給送装置７０に進入した記録用紙の束は、押さえアーム７３の面５３に沿って給送向き８７下流側に案内される。その際、押さえアーム７３は記録用紙に押されることによってトーションばね５２の付勢力に抗って第１位置から第２位置へ向けて回動する。これにより、記録用紙の束を給送ローラ７５とバイパストレイ７１の面４５との間に導くことができる。
【００８９】
また、第２位置の押さえアーム７３の他端は、給送ローラ７５よりも給送向き８７下流側に位置している。つまり、押さえアーム７３に案内されて給送ローラ７５とバイパストレイ７１の面４５との間を通過した記録用紙の束は、押さえアーム７３の他端によって押さえられた状態となる。すなわち、本構成によれば、記録用紙の束を、給送ローラ７５よりも給送向き８７下流側で押さえることができる。これにより、記録用紙の束が給送ローラ７５のみによって押さえられている状態よりも、記録用紙の重送の可能性を低くすることができる。
【００９０】
また、給送向き８７と直交し且つ面４５に沿った方向における給送ローラ７５の一方側のみに圧力がかかり他方側に圧力がかからないことで記録用紙は斜行し易くなるが、本実施形態によれば、記録用紙は給送ローラ７５の両側において押さえアーム７３によって押さえられるため、上記のような記録用紙の斜行の可能性を低くできる。
【００９１】
また、本実施形態によれば、バイパストレイ７１に記録用紙が支持されていない状態において、押さえアーム７３は、トーションばね５２に付勢されることによって第１位置である。また、バイパストレイ７１に記録用紙が支持された状態において、押さえアーム７３は、記録用紙に押されることによって第２位置である。つまり、シートセンサ５４は、押さえアーム７３の位置に基づいてバイパストレイ７１における記録用紙の支持の有無を検知することができる。すなわち、本構成によれば、押さえアーム７３を、記録用紙の支持の有無を検知するためにシートセンサ５４に検知される被検知部材とすることができるため、給送装置７０に、記録用紙を検知するための専用の被検知部材を設ける必要がない。
【００９２】
また、本実施形態によれば、給送アーム７６と押さえアーム７３の回動軸の中心は同一である。よって、給送アーム７６及び押さえアーム７３の回動軸を個別に設ける必要がないため、給送アーム７６及び押さえアーム７３の構成を単純化できる。
【００９３】
［変形例］
上述の実施形態において、係合部９１は、凸片９１Ａ、９１Ｂで構成されていたが、係合部９１は、凸片９１Ａ、９１Ｂ以外のもので構成されていてもよい。
【００９４】
例えば、係合部９１は、給送アーム７６における回動軸６６側の端部に設けられたキー（不図示）と、押さえアーム７３の一端４９に設けられておりキーと嵌合可能な略扇形形状のキー溝（不図示）とで構成されていてもよい。キー溝の円弧の長さはキーよりも長く設計されている。給送アーム７６が図８（Ｃ）に示される位置よりも面４５側の位置である場合、キーはキー溝に当接しない。よって、給送アーム７６は押さえアーム７３に対して空回りする。そのため、給送アーム７６が矢印６８の向きに回動しても、押さえアーム７３は回動しない。一方、給送アーム７６が図８（Ｃ）に示される位置よりも面４５から離間した位置である場合、キーはキー溝に当接し、給送アーム７６と押さえアーム７３とは一体に回動する。係合部９１は、以上のように構成されていることにより、上述の実施形態における凸片９１Ａ、９１Ｂと同様に機能する。
【００９５】
また、上述の実施形態において、給送アーム７６と押さえアーム７３の回動軸の中心は同一であったが、同一でなくてもよい。例えば、押さえアーム７３の回動軸が、給送アーム７６の回動軸よりも給送向き８７上流側に配置されていてもよい。
【００９６】
上述の実施形態において、凹部４６の数は２つであったが、凹部４６の数は２つに限らない。例えば、凹部４６は、バイパストレイ７１の面４５における給送ローラ７５よりも右側に１つだけ設けられていてもよい。
【００９７】
また、上述の実施形態において、押さえアーム７３の数は２つであったが、押さえアーム７３の数は２つに限らない。例えば、凹部４６が１つだけ設けられている場合、押さえアーム７３は１つの凹部４６に対応して１つだけ設けられる。
【００９８】
また、上述の実施形態において、給送装置７０は、バイパストレイ７１に支持された記録用紙を給送する装置であったが、給送装置７０は、給送トレイ２０に支持された記録用紙を給送するための装置であってもよい。
【００９９】
また、上述の実施形態において、給送装置７０は、プリンタ部１１に設けられていたが、給送装置７０を備える装置はプリンタ部１１に限らない。例えば、給送装置７０は、スキャナ部１２に設けられていてもよい。この場合、給送装置７０は、スキャナ部１２によって画像を読み取られる用紙をスキャナ部１２内部へ給送するものである。
【符号の説明】
【０１００】
４５・・・面
４６・・・凹部
５２・・・トーションばね
５３・・・面
７０・・・給送装置
７３・・・押さえアーム
７５・・・給送ローラ
７６・・・給送アーム
９０・・・操作レバー
９１・・・係合部
【図１】
2015193447.tif 000003
【図２】
2015193447.tif 000004
【図３】
2015193447.tif 000005
【図４】
2015193447.tif 000006
【図５】
2015193447.tif 000007
【図６】
2015193447.tif 000008
【図７】
2015193447.tif 000009
【図８】
2015193447.tif 000010
【図９】
2015193447.tif 000011